(57)【特許請求の範囲】
【請求項１】
観音開き用扉の突合わせ側の一方に係合ピンを突設し、他方の扉に枢着ピンを突設し、係合ピンに先端のフック部を係合させ、枢着ピンを嵌入させる水平な水平移動用の移動用溝と下側に向かって傾斜させた回転用溝を設けたフック部材の蝶番側下端に扉にほぼ垂直方向に位置するように枢着したフック作動レバーの他端を枢着し、フック作動レバーの蝶番側に開閉用レバーの一端を枢着し、開閉用レバーの一端を三角形状の回動盤の頂点を枢着した回動用ピンと開閉用レバーのフック作動レバーの枢着部とを結ぶ線よりも下側で且つ蝶番寄りに位置した回動盤の一端に枢着して開閉用レバーを水平方向に移動できるように形成し、回動盤の蝶番側の下端に揺動用レバーの一端を枢着し、揺動用レバーの他端に揺動用レバーの下端よりも上側に位置した個所の扉に回動ピンで回動できるように設けたへら状の開閉作動レバーの一端を枢着したことを特徴とする観音開き用扉の固定装置。
【請求項２】
揺動用レバーを回動用レバーと押上げ用レバーとで形成し、回動用レバーの一端を回動盤に枢着し、回動用レバーの他端に押上げ用レバーを枢着して押上げ用レバーの下端を開閉作動用レバーに枢着し、押上げ用レバーの扉突合わせ側上端に回動用レバーの下端を係止する回動阻止片を突設し、回動用レバーの蝶番側下端に押上げ用レバーの上端を係止する屈折阻止片を突設したことを特徴とする請求項１記載の観音開き用扉の固定装置。
【請求項３】
フック部材を枢着した扉の端に他方の扉の上面を嵌入させるコ字形をした蓋体を枢着し、蓋体の枢着側下面にフック部材の上面に当接するローラーを取付け、フック部材の回動に伴って回動するようにしたことを特徴とする請求項１記載の観音開き用扉の固定装置。
【発明の詳細な説明】
【０００１】
【発明の属する技術分野】
本発明は、コンテナー等の観音開き用扉の固定装置に関するものである。
【０００２】
【従来の技術】
コンテナーの観音開きの扉は図４乃至図６に示すように扉Ａ，Ａの両側を蝶番Ｂ，Ｂにより開閉できるようになっており、両扉Ａ，Ａの突合せ部分は上下の固定具Ｃ，Ｃで固定するようになっていた。この固定具Ｃ，Ｃは図６に示すように、一方の扉Ａに固定された枢着片Ｄに係止部材Ｅを枢着し、他方の扉Ａに設けた係止片Ｆに前記係止部材Ｅの下面に設られた係止溝Ｇを嵌入するようになっていた。
【０００３】
【発明が解決しようとする課題】
ところで、コンテナーに例えば産業廃棄物など大量に積載し場合には、積載物の重量により両側壁が膨らみ、図５に示すように扉Ａ，Ａが破線位置から両側に実線で示すように撓むという現象が発生することがある。
このように扉Ａ，Ａ，が撓むと、扉Ａ，Ａの突合せ個所の間隔が開くことになり、係止部材Ｅの係止溝Ｇが係止片Ｆと互いに反対方向にテンションが掛り、係止部材Ｅを図６において破線で示す開放位置に回動させることができなくなり、ハンマー等で強打してもびくともせず、扉Ａ，Ａが開かなくなるという問題があった。
【０００４】
【課題を解決するための手段】
そこで、本発明においては、観音開き用扉の突合わせ側の一方に係合ピンを突設し、他方の扉に枢着ピンを突設し、係合ピンに先端のフック部を係合させ、枢着ピンを嵌入させる水平な水平移動用の移動用溝と下側に向かって傾斜させた回転用溝を設けたフック部材の蝶番側下端に扉にほぼ垂直方向に位置するように枢着したフック作動レバーの他端を枢着し、フック作動レバーの蝶番側に開閉用レバーの一端を枢着し、開閉用レバーの一端を三角形状の回動盤の頂点を枢着した回動用ピンと開閉用レバーのフック作動レバーの枢着部とを結ぶ線よりも下側で且つ蝶番寄りに位置した回動盤の一端に枢着して開閉用レバーを水平方向に移動できるように形成し、回動盤の蝶番側の下端に揺動用レバーの一端を枢着し、揺動用レバーの他端に揺動用レバーの下端よりも上側に位置した個所の扉に回動ピンで回動できるように設けたへら状の開閉作動レバーの一端を枢着して観音開き用扉の固定装置を構成することにより、上記課題を解決せんとするものである。
【０００５】
又、揺動用レバーを回動用レバーと押上げ用レバーとで形成し、回動用レバーの一端を回動盤に枢着し、回動用レバーの他端に押上げ用レバーを枢着して押上げ用レバーの下端を開閉作動用レバーに枢着し、押上げ用レバーの扉突合わせ側上端に回動用レバーの下端を係止する回動阻止片を突設し、回動用レバーの蝶番側下端に押上げ用レバーの上端を係止する屈折阻止片を突設して観音開き用扉の固定装置を構成し、更に、フック部材を枢着した扉の端に他方の扉の上面を嵌入させるコ字形をした蓋体を枢着し、蓋体の枢着側下面にフック部材の上面に当接するローラーを取付け、フック部材の回動に伴って回動する様にして観音開き用扉の固定装置を構成したものである。
【０００６】
本発明の実施の形態を図１乃至図３に基いて詳細に説明する。両側の扉１，１´は両側に複数個の蝶番２，２…を取付け、観音開きで開閉できるようになっている。
【０００７】
両扉１，１´は周面を補強枠３で補強すると共に、水平部分に水平補強板４，４，５，５を間隔をおいて固定することにより、補強されている。そして、一方の扉１の突合わせ側の補強枠３の上部のコーナー部には方形の取付板６が固定され、この取付板６にフック部材７を枢着ピン８で回動自在に枢着し、他方の扉１´の補強枠３の上部に突設した係合ピン９に前記フック部材７の先端に設けたフック部１０を引掛けるようになっている。
【０００８】
フック部材７にはその先端のフック部１０の反対側に巾広い作動部分１１を設け、この作動部分１１に作動用溝１２が設けられている。作動用溝１２は扉１，１´を閉じた状態において、水平になる移動溝１３と移動溝１３の蝶番側端部に下側に傾斜した回動用溝１４とを設けて全体をへ字状に形成されており、移動用溝１２内に前記枢着ピン８を挿入し、枢着ピン８によりフック部材７を作動用溝１２内を水平移動させ、且つフック部材７を枢着ピン８を中心に回動させてフック部材７を開閉状態にするようになっている。
【０００９】
又、フック部材７には、その作動部材１１の下端に取付板６の下端に一端を回動自在に枢着したフック作動レバー１５の他端がピン１６で連結されており、フック作動レバー１５の回動により枢着ピン８を中心に水平移動及び揺動できるようになっている。尚、取付板６の扉突合わせ側には係止ピン１７を突設してフック作動レバー１５の回動阻止を行うようになっている。
フック作動レバー１５には、その扉突合わせ側の中央に取付板６の扉突合わせ側の下端に一端を取付けたスプリング１８の他端が取付けられている。
【００１０】
そして、フック作動レバー１５の蝶番側のスプリング１８の取付位置とピン１６との間に位置した蝶番側には突片１９が突設され、この突片１９には釣針状の開閉用レバー２０の末端側がピン２１で枢着されている。
【００１１】
そして、取付板６に回動用ピン２２で回動自在に取付けた三角形状をした回動盤２３の回動用ピン２２とピン２１を結ぶ０−０線よりも下側で且つ蝶番側に、開閉用ピン２４で前記開閉用レバー２０の針先側の先端が枢着されている。
【００１２】
又、三角形状の回動盤２３の蝶番側下端にピン２５で揺動用レバー２６が枢着されている。
揺動用レバー２６は回動用レバー２７と押上げ用レバー２８とで構成され、回動用レバー２７の一端はピン２５で回動盤２３の三角形状の蝶番側の一端に枢着され、回動用レバー２７の他端はピン２９で押上げ用レバー２８の一端に連結され、扉を閉じた状態においてこの揺動用レバー２６は図１に示すようにく字状になっている。
【００１３】
又、押上げ用レバー２６の上端で扉突合わせ側には、回動用レバー２７の下端に係合する回動阻止片３０が上側に突設されており、回動用レバー２７の下端蝶番側には屈折阻止片３１が下側に突設され、押上げ用レバー２８に当接して両レバーが屈折しないようになっている。この屈折阻止片３１にはスプリング３２の一端が取付られ、スプリング３２の他端は押上用レバー２８の上部扉突合わせ側に取付けられ、揺動用レバー２６を図１に示すく字状に保持できるようになっている。
【００１４】
又、押上げ用レバー２８の下端蝶番側には突片３３が当接され、この突片３３にへ字状をした開閉作動レバー３４の一端がピン３５で枢着されている。そして、開閉作動レバー３４の中央頂部は回動用ピン３６で押上げ用レバー２８の下端より上側に位置した扉１に枢着され、開閉用作動レバー３４の押上げ用レバー２８側の一辺と扉１の回動用ピン３６の上側で且つ蝶番側に位置した個所に設けたスプリング係止部材３７との間には牽引用スプリング３８が取付けられている。
【００１５】
尚、扉１の上端突合わせ側には図３に示すようなコ字形をした蓋体３がピン４０で枢着され、扉１´の上面をカバーするようになっており、扉突合わせ側に突片４１を設けてローラー４２が枢着され、ローラー４２を前記フック部材７の上面に当接するようになっている。
尚、扉１，１´の下端を固定するための部材は図示及び説明を省略する。
【００１６】
本発明の実施の形態は前記のように構成したもので、図１に示すようにフック部材７のフック部１０を扉１に設けた係合ピン９に係合して扉１，１´は開かないようになっている。そして、その時の枢着ピン８は、作動用溝１２の移動溝１３の先端に位置している。
【００１７】
この状態において、開閉作動レバー３４の自由端を図２に示すように、実線位置から回動用ピンを中心にして時計方向に回動させると、ピン３５は回動して上側に位置するようになる。すると、押上用レバー２８は押上げられ、回動用レバー２７が上側に移動し、揺動用レバー２６はく字形からへ字形に変形して回動用ピン２２を中心にして回動盤２３を反時計方向に回動させる。
【００１８】
この際、押上げ用レバー２８に設けられた回動阻止片３０が回動用レバー２７の下端に当接して回動用レバー２７の過剰な回動を阻止するようになってる。
【００１９】
回動盤２３の回動により開閉用ピン２４が０−０線よりも上側で且つ扉突合わせ側に移動し、開閉用レバー２０は扉突合わせ側に移動し、フック作動レバー１５をピン１６を中心にして扉突合わせ側に揺動する。この揺動によりフック部材７は枢着ピン８を中心にして作動溝１２に沿って扉突合せ側に水平移動し、係合ピン９とフック部１０との係合を離脱させ、その後回動用溝１４内に枢着ピン８が位置することにより、フック部材７は時計方向側に回動してフック部１０を扉１より上側に位置させる。
【００２０】
このフック部材７の回動により、ローラー４２を介して蓋体３９はピン４０を中心に時計方向側に回動して扉１´の上面を開放する。
この状態において両扉１，１´の係止関係は解除され、両扉１，１´を開放することができる様になる。
【００２１】
尚、前記説明においては揺動用レバー２６を回動用レバー２７と押上げ用レバー２８とで構成するように説明したが、これは両レバーのそれぞれの運動量を少なくするためで、揺動用レバー２６を一本にしても作動させることはできるものである。
【００２２】
又、取付板６に各部材を取付けるように説明したが、これは扉を補強するために補強枠３を設けているので、取付け位置を調整するためにあえて設けたもので、補強を考慮しなければ扉に直接取付けてもよい。
【００２３】
【発明の効果】
本発明は前記のような構成、作用を有するもので、フック部材は水平移動した後に、上方に向かって回動するようになっているので、荷台の両側の側壁が変形するようなことがあってもフック部材が作動しなくなるようなことはなく、どんな場合でも確実に扉を開くことができる確実性を有している。
【００２４】
又、フック部材を作動させるための回動盤を回動させる揺動レバーを回動用レバーと押上げ用レバーとを連結して構成しているので、両レバーの運動量は互いに少量となり、更に揺動レバーを作動させる開閉作動レバーも小さなものですみ、操作性においてもすぐれている。
【００２５】
更に、両扉の上面にはコ字形をした蓋体が嵌合するようになっているので、両扉の上面は喰違うようなことがなく、同一面を保持することができ、長期の酷使にも十分耐えられることができるすぐれた耐久性を有している。
【００２６】
【図面の簡単な説明】
【図１】本発明装置の扉の閉鎖状態の正面図。
【図２】同じく扉を開放する際の正面図。
【図３】蓋体と扉との関係を示す断面図。
【図４】従来装置の斜視図。
【図５】その正面図。
【図６】固定具の斜視図。
【符号の説明】
１            扉
１´          扉
２            蝶番
３            補強枠
４            水平補強板
５            水平補強板
６            取付板
７            フック部材
８            枢着ピン
９            係合ピン
１０            フック部
１１            作動部分
１２            作動用溝
１３            移動溝
１４            回動用溝
１５            フック作動レバー
１６            ピン
１７            係止ピン
１８            スプリング
１９            突片
２０            開閉用レバー
２１            ピン
２２            回動用レバー
２３            回動盤
２４            開閉用ピン
２５            ピン
２６            揺動用レバー
２７            回動用レバー
２８            押上げ用レバー
２９            ピン
３０            回動阻止片
３１            屈折阻止片
３２            スプリング
３３            突片
３４            開閉作動レバー
３５            ピン
３６            回動用ピン
３７            スプリング係止ピン
３８            牽引用スプリング
３９            蓋体
４０            ピン
４１            突片
４２            ローラー
【図１】
0003715381.tif 000002
【図２】
0003715381.tif 000003
【図３】
0003715381.tif 000004
【図４】
0003715381.tif 000005
【図５】
0003715381.tif 000006
【図６】
0003715381.tif 000007